(57)【特許請求の範囲】
【請求項１】
可動体を用いて演出を行う演出装置を備えた遊技機において、
前記演出装置は、
駆動部と、
前記駆動部の動力が加えられる印加部を有し、当該動力の印加により動作する第１の可動体と、
前記駆動部の動力が加えられる印加部を有し、当該動力の印加により前記第１の可動体の動作と対称的に動作する第２の可動体と、
前記駆動部の動力を前記第１の可動体の印加部まで伝えるための第１の経路と、
前記駆動部の動力を前記第２の可動体の印加部まで伝えるための第２の経路と、
前記印加部が前記第１の可動体の一端部および前記第２の可動体の一端部にそれぞれ設けられた構成において、前記第１の可動体の他端部と前記第２の可動体の他端部とを連結する部材であって、前記第１の可動体および前記第２の可動体が対称的な動作をするとき、前記対称的な動作における中心線に沿って移動する第３の可動体と、
を有する
ことを特徴とする遊技機。
【請求項２】
前記第１の可動体及び前記第２の可動体は、対称的な形態を有し、かつ、対称的な姿勢で配されており、前記動力の印加により相互の姿勢を対称的に変更することを特徴とする請求項１に記載の遊技機。
【請求項３】
前記第１の経路は前記第２の経路よりも長く、
前記第１の経路は、
長尺状に形成され、その一端部に前記駆動部による動力を受けて長尺方向に進退する長尺部材と、
前記長尺部材の他端部及び印加部に接続され、前記長尺部材とともに進退することで当該印加部に前記動力を伝える第１のスライド部材と、
を有する
ことを特徴とする請求項１に記載の遊技機。
【請求項４】
前記駆動部は、前記動力により回転するピニオンを有し、
前記第１の経路の前記長尺部材は、前記ピニオンと噛み合うことにより、前記ピニオンの回転力を前記長尺方向に沿う直線方向の力に変換する第１のラックを有し、
前記第１の可動体の前記印加部及び前記第２の可動体の印加部は、前記長尺方向に沿って相互に近接及び離間が可能に構成され、
前記第２の経路は、前記長尺方向に移動可能に構成された第２のスライド部材を有し、
前記第２の経路の前記第２のスライド部材は、前記ピニオンに噛み合う第２のラックを有し、
前記第１のラックと前記第２のラックとは、前記ピニオンを挟んで対向する位置に配置される
ことを特徴とする請求項３に記載の遊技機。
【請求項５】
前記第１の経路及び前記第２の経路のそれぞれは、
長尺状に形成され、その一端部に前記駆動部による動力を受けて長尺方向に進退する長尺部材と、
前記長尺部材の他端部及び当該印加部に接続され、前記長尺部材とともに進退することで当該印加部に前記動力を伝えるスライド部材と、
を有する
ことを特徴とする請求項１に記載の遊技機。
【請求項６】
前記駆動部は、前記動力により回転するピニオンを有し、
前記長尺部材は、前記ピニオンと噛み合うことにより、前記ピニオンの回転力を前記長尺方向に沿う直線方向の力に変換するラックを有する
ことを特徴とする請求項５に記載の遊技機。
【請求項７】
前記長尺部材は、前記長尺方向に延びる軸状部材を含むことを特徴とする請求項３から請求項６のいずれかに記載の遊技機。
【請求項８】
遊技盤と、前記遊技盤の後側に配置された裏ユニットと、前記遊技盤の前側に配置され、中央に開口を備えたセンター役物とを有し、
前記演出装置は、前記遊技盤と前記裏ユニットとの間のスペースに設けられ、
前記第３の可動体は、前記センター役物の前記開口の中央部と前記スペースとの間を結ぶ線を前記中心線として、前記中心線に沿って移動されるように構成されることを特徴とする請求項１に記載の遊技機。
【発明の詳細な説明】
【技術分野】
【０００１】
本発明は、可動体により演出を行う遊技機に関する。
【背景技術】
【０００２】
最近の遊技機においては、盤面に複数の可動体が配置され、これらを用いて各種演出を行うように構成されている。この種の遊技機として、３つの可動体を用いて演出を行うものがある（例えば、特許文献１）。
【０００３】
また、左下可動体、右下可動体、右可動体、及び上可動体により演出を行う遊技機がある（例えば、特許文献２）。このような遊技機には、各可動体を駆動するためのモータ（駆動部）がそれぞれ設けられている。
【０００４】
このように可動体を用いて演出を行う遊技機では、遊技者の興趣を惹くために、可動体の数を増やし、複数の可動体による演出をすることが要望される。
【先行技術文献】
【特許文献】
【０００５】
【特許文献１】特開２００９−０２８４２９号公報
【特許文献２】特開２０１０−２５９４５８号公報
【発明の概要】
【発明が解決しようとする課題】
【０００６】
しかしながら、前述の特許文献に記載された遊技機では、複数の可動体を駆動するための駆動部がそれぞれ設けられているため、駆動部が増えた分だけ広い設置スペースが必要となり、コスト低減の支障となるという問題が残されていた。
【０００７】
本件は、設置スペースの拡大を抑え、かつ、コストを低減するとともに、複数の可動体による演出を実現することが可能な遊技機を提供することを目的とする。
【課題を解決するための手段】
【０００８】
上記課題を解決するために、請求項１に記載の発明は、可動体を用いて演出を行う演出装置を備えた遊技機において、前記演出装置は、駆動部と、前記駆動部の動力が加えられる印加部を有し、当該動力の印加により動作する第１の可動体と、前記駆動部の動力が加えられる印加部を有し、当該動力の印加により前記第１の可動体の動作と対称的に動作する第２の可動体と、前記駆動部の動力を前記第１の可動体の印加部まで伝えるための第１の経路と、前記駆動部の動力を前記第２の可動体の印加部まで伝えるための第２の経路と、前記印加部が前記第１の可動体の一端部および前記第２の可動体の一端部にそれぞれ設けられた構成において、前記第１の可動体の他端部と前記第２の可動体の他端部とを連結する部材であって、前記第１の可動体および前記第２の可動体が対称的な動作をするとき、前記対称的な動作における中心線に沿って移動する第３の可動体と、を有することを特徴とする遊技機である。
【発明の効果】
【０００９】
本発明に係る遊技機によれば、設置スペースの拡大を抑え、かつ、コストを低減するとともに、複数の可動体による演出を実現することが可能となる。
【図面の簡単な説明】
【００１０】
【図１】本発明の一実施形態の遊技機の全体を示す模式図である。
【図２】遊技機に配される遊技盤を示す模式図である。
【図３】後ケースを外して第１の経路の第１のラック及び第２の経路のスライド部材を後から見たときの図である。
【図４】後ケースを外さずに第１のラック等を図３に示すＡ−Ａ線で破断したときの断面図である。
【図５】後ケースを外して第１の経路のスライド部材を後から見たときの図である。
【図６】後ケースを外さずにスライド部材を図５に示すＢ−Ｂ線で破断したときの断面図である。
【図７】第１位置に移動した演出装置を後から見たときの概念図である。
【図８】第２位置に移動した演出装置を後から見たときの概念図である。
【図９】第１位置にある演出装置を前から見たときの正面図である。
【図１０】第１位置にある演出装置を後から見たときの背面図である。
【図１１】第１位置にある演出装置を右側から見たときの右側面図である。
【図１２】本体、前ケース及び後ケースを外して第１位置にある演出装置を前から見たときの正面図である。
【図１３】本体、前ケース及び後ケースを外して第１位置にある演出装置を後から見たときの背面図である。
【図１４】第２位置にある演出装置を前から見たときの正面図である。
【図１５】第２位置にある演出装置を後から見たときの背面図である。
【図１６】第２位置にある演出装置を右側から見たときの右側面図である。
【図１７】本体、前ケース及び後ケースを外して第２位置にある演出装置を前から見たときの正面図である。
【図１８】本体、前ケース及び後ケースを外して第２位置にある演出装置を後から見たときの背面図である。
【図１９】変形例に係る演出装置を後から見たときの概念図である。
【発明を実施するための形態】
【００１１】
〔遊技機の基本構成〕
本発明の一実施形態に係る遊技機について各図を参照して説明する。
【００１２】
以下、遊技機の基本的な構成について図面を参照して説明する。なお、以下の説明において、「上」、「下」、「左」、「右」、「表（前）」、及び「裏（後）」は、特に断らない限り、遊技機１を遊技者側から見た場合における各方向を示すものとする。
【００１３】
図１は、本実施形態の遊技機１の全体を示す模式図である。図２は、遊技機１に配される遊技盤７０を示す模式図である。
【００１４】
図１に示す遊技機１は、所謂パチンコ機である。この遊技機１には、遊技盤７０が機内部に配置されている。遊技盤７０上には、遊技球Ｐを射出する打球装置２０がそのハンドル部分を前面に露出させて設けられている。ここで遊技盤７０上とは遊技盤７０の盤面上をいう。遊技機１は、遊技者が打球装置２０のハンドルを操作することで遊技球Ｐを遊技盤７０上に射出する。そして、遊技盤７０上には、入賞口７６等のポケットが配されており、遊技盤７０上を転動流下する遊技球Ｐがこの入賞口７６等に入球した場合に、所定数の遊技球Ｐを払い出す。遊技機１は、上皿３０や下皿４０を備えており、遊技球Ｐは、この上皿３０や下皿４０に払い出されて貯留される。
【００１５】
このような遊技機１は、機体の外郭をなす縦長方形状の外枠１０を備えている。外枠１０は、遊技ホールの島設備に取り付け固定される。外枠１０の下部は、合成樹脂製の腰板ユニット１１で構成されている。外枠１０の開口前面側には、各種の遊技用構成部材をセットするために縦長方形状の中枠１２が開閉可能に取り付けられている。外枠１０には、一方の側縁部にヒンジ機構１３が設けられており、中枠１２は、ヒンジ機構１３に枢支されることで開閉可能となっている。
【００１６】
中枠１２の前面側には、機内部に配置された遊技盤７０を透視保護するためのガラス枠を備えた前枠１４と上皿３０とが、横開き状態で開閉可能に組み付けられている。この前枠１４と上皿３０も外枠１０に設けられたヒンジ機構１３で枢支されることで開閉可能となっている。中枠１２の前面側において上皿３０の下方には、下皿４０や打球装置２０のハンドルが装着されている。
【００１７】
上皿３０には、その左方側に機内部から払出される遊技球Ｐの上皿払出口３１が設けられている。入賞等により払い出された遊技球Ｐは、上皿払出口３１から上皿３０に排出される。そして、上皿３０に貯留されている遊技球Ｐは、機内へ取り込まれて、打球装置２０によって遊技盤７０に向けて発射される。上皿３０の前面には、上皿球抜きボタン３２が設けられている。上皿３０と下皿４０とは、図示しない球抜き通路で繋がっている。球抜き通路は、上皿球抜きボタン３２の押下操作によって開通し、上皿３０に貯留されている遊技球Ｐを下皿４０に向けて流下させる。
【００１８】
遊技機１は、入賞、図柄変動、大当り状態、リーチ状態などの各種遊技の状態に応じた各種の演出を行う。遊技機１の前面側には、各種音声を出力して音声演出を行うスピーカ５０が配置されている。スピーカ５０は、前枠１４や中枠１２の裏面に装着されており、装着部位に対応する遊技機１の表面には図示しない放音孔が複数形成されている。各スピーカ５０は、効果音等の各種音声を出力し、音声出力に基づく遊技演出を行う。また、前枠１４のほぼ全周を囲むように装飾ランプ７５が配置されている。各装飾ランプ７５は、ＬＥＤランプ等の発光体を備え、遊技の状態に応じて点灯または消灯して、発光装飾に基づく遊技演出を行う。
【００１９】
図２に示すように、遊技盤７０の前面には、外レール７１と内レール７２が敷設されている。外レール７１と内レール７２は、パチンコ遊技の主体となるほぼ円形の遊技領域７４を遊技盤７０上に区画形成する。内レール７２は、外レール７１の内側に敷設されている。外レール７１と内レール７２とは、遊技盤７０の左下方から左上方に向かって延設されており、打球装置２０から射出された遊技球Ｐを遊技領域７４に誘導する円弧状の誘導路７３を形成している。
【００２０】
遊技盤７０の遊技領域７４には、複数の入賞口７６が配されている。これらの各入賞口７６は、遊技盤７０から前方向に直立し、上方に開口を有するポケット形状を有する。ポケット内部には、遊技球Ｐを検知するセンサが配されている。遊技機１は、入賞口７６に遊技球Ｐが入球すると、センサがこの入球を検知したことを契機として所定球数の遊技球Ｐが上皿３０に払い出される。遊技盤７０の遊技領域７４の最下部には、いずれの入賞口７６にも入球せずにアウト球となった遊技球Ｐが入球するアウト球口７７が配設されている。このアウト球口７７は、アウト球を回収して内部へ送出し、機外排出を行うために設けられている。
【００２１】
遊技盤７０の遊技領域７４には、中央に開口を有した大型の枠体であるセンター役物１００が装着されている。センター役物１００には、遊技球が転動し得るステージが設けられている。
【００２２】
遊技領域７４内であってセンター役物１００の下方には、始動口７９が設けられている。この始動口７９は、遊技盤７０から前方向に直立し、上方に開口を有するポケット形状を有する。ポケット内部には、遊技球Ｐを検知するセンサが配されている。遊技機１は、始動口７９に遊技球Ｐが入球すると、センサがこの入球を検知したことを契機として図柄変動ゲームを開始する。
【００２３】
センター役物１００の開口には、図柄表示部７８が配置されている。図柄表示部７８には、複数種類の図柄を変動させて複数列の図柄からなる図柄組み合わせを導出する図柄変動ゲームなどの表示演出の画像が表示される。
【００２４】
図柄変動ゲームにおいて図柄表示部７８では、複数種類の飾り図柄（以下、「飾図」と示す）を複数列で変動させて各列に飾図が表示される。飾図は、図柄表示部７８で行われる表示演出を多様化するために用いられる演出用の図柄である。
【００２５】
図柄表示部７８には、図柄変動ゲームで導出される３列の図柄毎に対応して、各列の図柄を停止表示させる３つの図柄表示位置ＨＰ１，ＨＰ２，ＨＰ３が定められている。停止表示では、図柄表示部７８の各図柄表示位置ＨＰ１〜ＨＰ３において図柄の種類を遊技者が識別可能な状態で図柄が表示させる。この停止表示には図柄が一時的に停止している一旦停止表示と、図柄が確定的に停止している確定停止表示とがある。
【００２６】
そして、図柄表示部７８では、図柄変動ゲームが開始すると図柄が変動表示されるとともに、変動の停止によって各列の図柄表示位置ＨＰ１〜ＨＰ３に１つの図柄が一旦停止表示され、その後に図柄変動ゲームが終了すると各列の図柄表示位置ＨＰ１〜ＨＰ３に１つの図柄が確定停止表示される。変動表示では、図柄表示部７８において図柄が予め定めた表示順序にしたがって変動しながら表示される。
【００２７】
図柄変動ゲームでは、各列に［１］〜［８］の８種類の数字が飾図として表示可能とされている。そして、図柄表示部７８で図柄変動ゲームが開始すると、各列の図柄は、予め定められた表示順序で図柄表示部７８の上方から下方にスクロールさせながら変動表示されるようになっている。
【００２８】
図柄表示部７８には、当該図柄表示部７８に定められる３つの図柄表示位置ＨＰ１〜ＨＰ３を結んでなる組み合わせ有効ラインＬが形成されている。なお、図２では、説明の便宜上、各図柄表示位置ＨＰ１〜ＨＰ３、及び有効ラインＬを図示しているが、実機においては、これらの図柄表示位置ＨＰ１〜ＨＰ３、及び有効ラインＬが目視可能な状態で表示されている必要はない。有効ラインＬに停止表示された３つの図柄からなる図柄組み合わせが、大当りか否かを遊技者に認識させるための有効な図柄組み合わせとなる。
【００２９】
図柄変動ゲームでは、有効ラインＬに停止表示させる３列の飾図を同一の飾図として形成した図柄組み合わせを、内部抽選で大当りを決定した場合に図柄表示部７８に確定停止表示させる飾図の大当り図柄としている。例えば、飾図による大当りの図柄組み合わせは、［１１１］や［７７７］などである。一方、有効ラインＬに停止表示させる３列の飾図を同一の飾図とせずに形成した図柄組み合わせを、内部抽選ではずれを決定した場合に演出表示装置に確定停止表示させる飾図のはずれ図柄としている。３列の飾図が同一の飾図とならない場合には、３列の飾図の全てが異なる場合や、２列の飾図が同一で、かつ１列の飾図が異なる場合が含まれる。例えば、飾図のはずれ図柄組み合わせは、［１２３］、［１１５］、［７６７］や［８８９］などである。
【００３０】
始動口７９の下方には、大入賞口８０が配されている。大入賞口８０は、開閉動作可能な開閉扉８０ａで閉じられている。開閉扉８０ａは、図柄変動ゲームで大当りが決定されると、予め定めた開放時間や開放回数で開動作し、遊技球Ｐの入球を許容する。そして、大入賞口８０には、遊技球Ｐを検知するセンサが設けられており、遊技機１は、大入賞口８０への入球を検知すると、所定球数の遊技球Ｐを払い出す。
【００３１】
センター役物１００は、遊技機１の前後方向に所定の厚みを有しており、遊技盤７０の前面から少なくとも遊技球Ｐの直径以上の厚み分突出して取り付けられている。センター役物１００の枠体は、枠体上部１００ａ及び枠体下部１００ｂを有する。枠体上部１００ａは、図柄表示部７８の上方において遊技領域７４を左右に横断している。枠体下部１００ｂは、図柄表示部７８の下方において遊技領域７４を左右に横断している。センター役物１００のステージ１２２を転動する遊技球が勢い余って、裏ユニット（後述する）側に飛び出さないように仕切壁としての役割を担う仕切板１２０が設けられている。仕切板１２０は、図柄表示部７８の表示を妨げないように透光性を有している。
【００３２】
遊技盤７０は裏ユニット（図示省略）を有している。なお、裏ユニットを含めて遊技盤７０という場合がある。
【００３３】
裏ユニットは遊技盤７０の背面に配設されている。裏ユニットの背面に図柄表示部７８が取り付けられている。裏ユニットには図柄表示部７８に対応するように開口が設けられている。
【００３４】
裏ユニットは、それと遊技盤７０との間にスペースが画成されるように略コ字状に形成されている。画成されたスペースには、図示省略した演出装置を設けるための設置スペースとして用いられる。ここで、演出装置の一例としては、可動体、それを駆動させる力を発生する駆動部、駆動部の力を可動体に伝える経路を含むものとする。遊技盤７０は、遊技盤７０を介して図柄表示部７８及び可動体を視認することが可能なように、例えばアクリル樹脂材で形成され、その全体が透過性を有している。
【００３５】
このようなスペースはその周囲に様々な部品を設ける必要性から、前後方向、左右方向、及び上下方向に制限を受けるため、演出装置は、可能な限り小型であることが要望される。
【００３６】
〔演出装置の主構成〕
以上、遊技機１の基本的な構成について説明した。次に、演出装置２００の主な構成について図７〜図１１、図１３、及び図１８を参照して説明する。
【００３７】
図７は第１位置に移動した演出装置２００を後から見たときの概念図、図８は第２位置に移動した演出装置を後から見たときの概念図、図１３は、前ケース２０１及び後ケース２０２を外して第１位置にある演出装置を後から見たときの背面図、図１８は、前ケース２０１及び後ケース２０２を外して第２位置にある演出装置を後から見たときの背面図である。ここで、図７及び図８は、図１３及び図１８に示す可動体２１０、２２０、２３０、第１の経路３１０、及び第２の経路３２０をそれぞれ簡略化あるいは抽象化した図である。
【００３８】
図７及び図８に示すように、演出装置２００は、第１の可動体２１０、第２の可動体２２０及び第３の可動体２３０、駆動部２５０、本体２６０、前ケース２０１、後ケース２０２、第１の経路３１０、及び第２の経路３２０を有している。
【００３９】
第１の可動体２１０は、遊技盤７０と裏ユニットとの間のスペースにその端部２１５が倒れた状態で格納される第１姿勢（図７に示す位置）と、その端部２１５が立ち上がってセンター役物１００の開口の中央部に進出した第２姿勢（図８に示す位置）との間の姿勢に変更する。
【００４０】
同様に、第２の可動体２２０は、その端部２２５がスペースに倒れた状態で格納される第１姿勢（図７に示す位置）と、その端部２２５が立ち上がってセンター役物１００の開口の中央部に進出した第２姿勢（図８に示す位置）との間の姿勢に変更する。
【００４１】
第３の可動体２３０は、第１の可動体２１０及び第２の可動体２２０の姿勢の変更により第１位置と第２位置との間を往復移動する。なお、第１位置または第２位置というときは、演出装置２００の全体の位置を説明するときに用いる場合と、第３の可動体２３０の位置を説明するときに用いる場合とがある。
【００４２】
図９は第１位置にある演出装置を前から見たときの正面図、図１０は第１位置にある演出装置２００を後から見たときの背面図、図１１は第１位置にある演出装置２００を右側から見たときの右側面図である。
【００４３】
図９〜図１１に示すように、駆動部２５０は、駆動源の一例としての電動モータＭを有している。駆動部２５０の詳細については後述する。
【００４４】
本体２６０は、演出装置２００の前面部を構成する化粧板である。
【００４５】
前ケース２０１は本体２６０に後から重ねるようにして固定されている。
【００４６】
後ケース２０２は複数のケース用部材により構成されている。複数のケース用部材は、前ケース２０１に後から重ねるようにしてそれぞれ固定されている。前ケース２０１と後ケース２０２との間には、第１の経路３１０、第２の経路３２０、及び駆動部２５０の一部を収納するための収容空間が形成されている。
【００４７】
本体２６０、前ケース２０１、及び後ケース２０２は、前後方向に重なるように配置されている。さらに、第１の経路３１０、第２の経路３２０及び駆動部２５０は、収容空間に収納されている。それにより、演出装置２００を全体的に薄型にすることが可能となる。なお、駆動部２５０については、その一部が収容空間に配置されている。
【００４８】
次に、第１の経路３１０及び第２の経路３２０について図７、図８、図９、及び図１４を参照して簡単に説明する。図１４は第２位置にある演出装置を前から見たときの正面図である。
【００４９】
図７及び図８に示すように、第１の経路３１０は、駆動部２５０の動力を第１の可動体２１０の印加部２１１まで伝えるための経路である。なお、第１の可動体２１０は、駆動部２５０から第１の距離を介して配置され、駆動部２５０の動力が加えられる印加部２１１を有し、動力の印加により動作する。
【００５０】
第２の経路３２０は、駆動部２５０の動力を第２の可動体２２０の印加部２２１まで伝えるための経路である。なお、第２の可動体２２０は、駆動部２５０から第２の距離を介して配置され、駆動部２５０の動力が加えられる印加部２２１を有し、動力の印加により第１の可動体２１０の動作と左右対称的に動作する（図９及び図１４参照）。ここで、左右対称的に動作するとは、遊技者が視覚を通して感じたときの第１可動体２１０及び第２可動体２２０の動作が互いに左右対称的であることをいい、完全に左右対称的である必要はない。
【００５１】
第１の可動体２１０及び第２の可動体２２０は、左右対称的な形態を有し、かつ、左右対称的な姿勢で配されており、駆動部２５０の印加により相互の姿勢を対称的に変更する（図９及び図１４参照）。ここで、左右対称的な形態、及び、左右対称的な姿勢とは、遊技者が視覚を通して感じたときの左右対称的な形態、及び、左右対称的な姿勢をいい、完全な左右対称的な形態、及び左右対称的な姿勢である必要はない。
【００５２】
〔第１の経路〕
次に、第１の経路３１０の詳細について、図５〜図８を参照して説明する。
【００５３】
図７及び図８に示すように、第１の経路３１０は、第２の経路３２０よりも長く形成されている。第１の経路３１０は、長尺状に形成され、その一端部３１１ａに駆動部２５０による動力を受けて長尺方向（図８で示す矢印方向）に進退する長尺部材３１１と、長尺部材３１１の他端部３１１ｂ及び印加部２１１に接続され、長尺部材３１１とともに進退することで印加部２１１に動力を伝えるスライド部材３１２と、を有する。なお、本実施形態では、長尺方向と左右方向とが一致している。なお、スライド部材３１２を第１のスライド部材３１２という場合がある。
【００５４】
（長尺部材）
図７及び図８に示すように、長尺部材３１１は、その一端部３１１ａ側に第１のラック３１３を有している。なお、第１のラック３１３の詳細については後述する。
【００５５】
図５は、後ケース２０２を外して第１の経路３１０の一部であるスライド部材３１２を後方から見た図である。
【００５６】
図５、図７及び図８に示すように、長尺部材３１１の他端部３１１ｂは、スライド部材３１２に連結されている。長尺部材３１１の一例としては、長尺方向に延びる軸状部材を含む。その場合、駆動部２５０の動力を伝えるべき印加部２１１まで軸状部材を延設することが可能である。それにより、第１の経路３１０のそれ以外の構成を大幅に変更せずに済む。
【００５７】
（スライド部材）
図６は後ケース２０２を外さずにスライド部材３１２を図５に示すＢ−Ｂ線で破断したときの断面図である。
【００５８】
図５及び図６に示すように、スライド部材３１２は、略矩形の平板状に形成されている。スライド部材３１２の四隅には前方及び後方（板厚方向）にそれぞれ突出した前後一対の凸状部３１４が設けられている。さらに、スライド部材３１２には前方及び後方にそれぞれ突出した円環形状のボス部３１７（前後一対のボス部３１７）が設けられている。さらに、ボス部３１７の外側にはガイドリング２０８が嵌め込まれている。
【００５９】
（スライド部材のガイド手段）
次に、スライド部材３１２を左右方向にのみ案内するためのガイド手段について図５及び図６を参照して説明する。
【００６０】
図５及び図６に示すように、前ケース２０１と後ケース２０２によりガイド手段が構成されている。前ケース２０１には凸状ガイド部２０３が設けられている。凸状ガイド部２０３は、スライド部材３１２の前方に突出した凸状部３１４に対し前側から当接している。さらに、後ケース２０２には凸状ガイド部２０４が設けられている。凸状ガイド部２０４は、スライド部材３１２の後方に突出した凸状部３１４に対し後側から当接している。凸状ガイド部２０３、２０４は、前後一対の凸状部３１４に対し前後から当接することにより、スライド部材３１２の前後方向への移動を規制することが可能となる。
【００６１】
さらに、前ケース２０１及び後ケース２０２には、前後一対のボス部３１７に対応してガイド穴２０７がそれぞれ設けられている。ガイド穴２０７にはガイドリング２０８を介してスライド部材３１２のボス部３１７が嵌め込まれている。それにより、ガイド穴２０７は、スライド部材３１２の上下方向への移動を規制することが可能となる。
【００６２】
以上のガイド手段により、前後方向及び上下方向の移動を規制されるため、スライド部材３１２は左右方向にのみ移動可能となる。スライド部材３１２には、第１の可動体２１０の印加部２１１が軸部材２１６により相対回転可能に接続されている。それにより、スライド部材３１２に接続する第１の可動体２１０の印加部２１１は左右方向にのみ移動可能となる。
【００６３】
スライド部材３１２を左右方向に案内するためのガイド手段の機能を前ケース２０１及び後ケース２０２にもたせることにより、ガイド手段を専用に設ける必要がなく、製造コスト及び組立コストを抑えることができる。また、ガイド手段専用の設置スペースを設けずに済み、その分薄型にすることができる。
【００６４】
ここで、第１の経路３１０のスライド部材３１２と第１の可動体２１０の印加部２１１とを接続するための軸部材２１６について説明する。
【００６５】
第１の可動体２１０の印加部２１１は前ケース２０１の前面側に配置されている。スライド部材３１２は、前ケース２０１の後面側に配置されている。スライド部材３１２と第１の可動体２１０の印加部２１１とを軸部材２１６により接続するため、軸部材２１６を前ケース２０１に前後方向に通す貫通穴が必要となる。この貫通穴の一例として、前ケース２０１に設けられたガイド穴２０７が用いられている。ガイド穴２０７を前後方向に貫通する軸部材２１６により、スライド部材３１２と第１の可動体２１０の印加部２１１とが接続されている。
【００６６】
なお、軸部材２１６は、一または複数の部材により構成されていて、全体として可動体２１０の印加部２１１の回転中心となればよい。後述する第２の経路３２０のスライド部材３２２と第２の可動体２２０の印加部２２１とを接続するための軸部材２２６についても、軸部材２１６と同様の構成を有する。
【００６７】
（第１のラック）
次に、第１のラック３１３の詳細について図３及び図４を参照して説明する。
【００６８】
図３は後ケース２０２を外して第１の経路３１０の一部である第１のラック３１３及び第２の経路３２０のスライド部材３２２を後から見たときの図、図４は後ケース２０２を外さずに第１のラック３１３等を図３に示すＡ−Ａ線で破断したときの断面図である。
【００６９】
図３及び図７に示すように、長尺部材３１１の一例として、第１のラック３１３と軸状部材とが別体で設けられている。第１のラック３１３は、長尺部材３１１の一端部３１１ａに連結されている。なお、長尺部材３１１の他の例として、第１のラック３１３と軸状部材とが一体的に設けられたものであってもよい。
【００７０】
図３に示すように、第１のラック３１３は、略Ｌ字形の平板状に形成されている。第１のラック３１３の右側縁部及び左側縁部には前方及び後方（板厚方向）にそれぞれ突出した前後一対の凸状部３１８が設けられている。さらに、第１のラック３１３には右側縁部からさらに下方に突出した突片部３１５が設けられている。さらに、第１のラック３１３の前面部には左右方向を長手方向とした長溝であるガイド凹部３１６が設けられている。
【００７１】
（第１のラックのガイド手段）
次に、第１のラック３１３を左右方向にのみ案内するためのガイド手段について図３及び図４を参照して説明する。
【００７２】
図３及び図４に示すように、ガイド手段は、前ケース２０１及び後ケース２０２に設けられている。前ケース２０１には凸状ガイド部２０３が設けられている。凸状ガイド部２０３は、第１のラック３１３の前方に突出した凸状部３１８に前側から当接している。さらに、後ケース２０２には凸状ガイド部２０４が設けられている。凸状ガイド部２０４は、第１のラック３１３の後方に突出した凸状部３１８に後側から当接している。凸状ガイド部２０３、２０４は、前後一対の凸状部３１８に対し前後から当接することにより、第１のラック３１３の前後方向の移動を規制することが可能となる。
【００７３】
前ケース２０１にはフランジ状ガイド部２０５が設けられている。フランジ状ガイド部２０５は、第１のラック３１３の下方に突出した突片部３１５に対し下側から当接している。さらに、前ケース２０１にはガイド凸部２０９が設けられている。ガイド凸部２０９はガイド凹部３１６の壁部に対し下側から当接している。それにより、ガイド凸部２０９は第１のラック３１３の下方の移動を規制することが可能となる。なお、第１のラック３１３を後述するピニオン２５２と噛み合わせることにより、第１のラック３１３の上方の移動を規制することが可能となる。
【００７４】
第１のラック３１３は、ガイド手段により前後方向及び上下方向への移動を規制されるため、左右方向にのみ移動可能となる。
【００７５】
第１のラック３１３を左右方向に案内するためのガイド手段の機能を前ケース２０１及び後ケース２０２にもたせることにより、ガイド手段を専用に設ける必要がなく、製造コスト及び組立コストを抑えることが可能となる。また、ガイド手段専用の設置スペースを設けずに済み、その分薄型にすることが可能となる。
【００７６】
以上に説明した第１の経路３１０は、駆動部２５０から離れた第１の可動体２１０の印加部２１１まで駆動部２５０の動力を伝える必要があるために、長尺部材３１１、スライド部材３１２、及び第１のラック３１３を有し、それらを別体に構成したものである。
【００７７】
第２の経路３２０よりも長い第１の経路３１０において、長尺部材３１１及びスライド部材３１２の簡単な構成により、長い経路であっても、駆動部２５０の動力を第１の経路３１０の印加部２１１に伝えることができるので、駆動部２５０の位置に対してどのような位置に印加部２１１が配されていても、そのような印加部２１１の方に長尺部材２５０またはスライド部材３１２を延ばすことにより、駆動部２５０の動力を印加部２１１に伝えることが可能となり、駆動部２５０を新たに設ける必要がない。
【００７８】
〔第２の経路〕
次に、第２の経路３２０の詳細について図３及び図４を参照して説明する。
【００７９】
図３に示すように、第２の経路３２０は、駆動部２５０の直上位置に配置された第２の可動体２２０の印加部２２１までの短い距離だけ駆動部２５０の動力を伝えればよいため、第１の経路３１０の長尺部材３１１に相当する部材を不要とし、さらに、第１の経路３１０のスライド部材３１２と第１のラック３１３とを一体的に構成したものである。
【００８０】
（スライド部材、第２のラック）
スライド部材３２２と第２のラック３２３とを一体的に構成したものを図３に示す。なお、スライド部材３２２を第２のスライド部材３２２という場合がある。スライド部材３２２は、略矩形の平板状に形成されている。スライド部材３２２の右側縁部及び左側縁部には前方及び後方（板厚方向）にそれぞれ突出した前後一対の凸状部３２４が設けられている。さらに、スライド部材３２２には上側縁部から上方に突出した突片部３２５が設けられている。突片部３２５は、演出装置２００が第１の位置に位置しているときに、当該突片部３２５が凹状のセンサ（図示省略）内に入り込むことで原位置を検知するための原位置スイッチの一部を構成する。さらに、スライド部材３２２には、前面部に前方に突出するボス部３２６が形成されている。ボス部３２６の外側にはガイドリング２０８ａが嵌め込まれている。
【００８１】
（スライド手段のガイド手段）
次に、スライド部材３２２を左右方向にのみ案内するガイド手段について図３及び図４を参照して説明する。
【００８２】
図３及び図４に示すように、前ケース２０１と後ケース２０２によりガイド手段が構成されている。前ケース２０１には凸状ガイド部２０３が設けられている。凸状ガイド部２０３は、スライド部材３２２の前方に突出した凸状部３２４に対し前側から当接している。さらに、後ケース２０２には凸状ガイド部２０４が設けられている。凸状ガイド部２０４は、スライド部材３２２の後方に突出した凸状部３２４に対し後側から当接している。凸状ガイド部２０３、２０４は、前後一対の凸状部３２４に対し前後から当接することにより、スライド部材３２２の前後方向への移動を規制することが可能となる。
【００８３】
前ケース２０１にはフランジ状ガイド部２０６が設けられている。フランジ状ガイド部２０６は、スライド部材３２２の下方に突出した突片部３２５に対し上側から当接している。それにより、フランジ状ガイド部２０６は、スライド部材３２２の上方の移動を規制することが可能となる。さらに、前ケース２０１にはガイド穴２０７ａが設けられている。ガイド穴２０７ａにはボス部３２７がガイドリング２０８ａを介して嵌合している。それにより、ガイド穴２０７ａは、スライド部材３２２の上下方向への移動を規制することが可能となる。なお、スライド部材３２２には第２のラック３２３が形成されている。第２のラック３２３を後述するピニオン２５２と噛み合わせることによっても、スライド部材３２２の下方の移動を規制することが可能となる。
【００８４】
ガイド手段により前後方向及び上下方向の移動を規制されるため、スライド部材３２２は、左右方向（長尺方向）にのみ移動可能となる。
【００８５】
第２の可動体２２０の印加部２２１は、スライド部材３２２に軸部材２２６により相対回転可能に接続されているため、スライド部材３２２に接続する左右方向（長尺方向）にのみ移動可能となる。
【００８６】
スライド部材３２２を左右方向に案内するためのガイド手段の機能を前ケース２０１及び後ケース２０２にもたせることにより、ガイド手段を専用に設ける必要がなく、製造コスト及び組立コストを抑えることが可能となる。また、ガイド手段専用の設置スペースを設けずに済み、その分薄型にすることが可能となる。
【００８７】
なお、第２の経路３２０のスライド部材３２２と第２の可動体２２０の印加部２２１とを接続するための軸部材２２６の構成は、前述する軸部材２１６の構成と同様である。
【００８８】
スライド部材３２２を左右方向に案内するためのガイド手段の機能を前ケース２０１及び後ケース２０２にもたせることにより、ガイド手段を専用に設ける必要がなく、製造コスト及び組立コストを抑えることが可能となる。また、ガイド手段専用の設置スペースを設けずに済み、その分薄型にすることが可能となる。
【００８９】
以上に、ガイド手段により左右方向（長尺方向）にのみ移動するように構成された第１の可動体２１０の印加部２１１及び第２の可動体２２０の印加部２２１ついて説明した。
【００９０】
長い経路の第１の経路３１０において、長尺部材３１１に第１のラック３１３を設け、短い経路の第２の経路３２０において、第２のスライド部材３２２に第２のラック３２３を設け、第１のラック３１３及び第２のラック３２３をピニオン２５２を挟んで対向するように配置したので、ピニオン２５２を正逆それぞれの方向に回転させることにより、第１可動体２１０の印加部２１１及び第２可動体２２０の印加部２２１を長尺方向に沿って相互に近接及び離間させることが可能となる。
【００９１】
〔第３の可動体〕
次に、第３の可動体２３０の詳細について図７、図８、図１３、及び図１５を参照して説明する。図１５は第２位置にある演出装置２００を後から見たときの背面図である。
【００９２】
図７及び図８に示すように、第１の可動体２１０と第２の可動体２２０とは第３の可動体２３０を介して接続されている。
【００９３】
図１３及び図１５に示すように、第３の可動体２３０の一端部は第１の可動体２１０の他端部２１５に軸支されている。第３の可動体２３０の他端部は第２の可動体２２０の他端部２２５に軸支されている。第３の可動体２３０の一端部及び他端部を軸支する位置は、左右対称的な位置に配置されている。
【００９４】
第１の可動体２１０の他端部２１５には、軸支された位置を中心とする円周方向に複数の歯を配置したセクタギア２１７が設けられている。第２の可動体２２０の他端部２２５には、軸支された位置を中心とする円周方向に複数の歯を配置したセクタギア２２７が設けられている。セクタギア２１７、２２７同士は、第１の可動体２１０及び第２の可動体２１０に対し左右対称的な動作をさせるように噛み合わされている。
【００９５】
第３の可動体２３０は、それを軸支する位置が左右対称的な位置に配置されているため、そして、第１の可動体２１０及び第２の可動体２１０が左右対称的な動作をするため、これら左右対称的な動作の中心線に沿って上下方向に一定の姿勢を保ちながら動作する。
【００９６】
〔駆動部〕
次に、駆動部２５０の詳細について図３、図４、図１０、図１１、図１５、及び図１６を参照して説明する。図１６は、第２位置にある演出装置を右側から見たときの右側面図である。
【００９７】
図３及び図４に示すように、駆動部２５０は、駆動ギア２５１、ピニオン２５２、中継ギア２５３、及び回転軸２５４を有する。
【００９８】
図４、図１０、図１１、図１５、図１６に示すように、駆動部２５０は、動力源の一例である電動モータＭを有している。電動モータＭは、後ケース２０２に設けられている。
【００９９】
駆動ギア２５１は、電動モータＭの駆動軸に固定されている。
【０１００】
回転軸２５４は、前ケース２０１の軸受け部２０９ａ及び後ケース２０２の軸受け部２０９ａに支持されている。
【０１０１】
ピニオン２５２及び中継ギア２５３は一体的に形成され、回転軸２５４を中心に一体的に回転するように設けられている。ピニオン２５２は、中継ギア２５３が駆動ギア２５１と噛み合うことにより、駆動部２５０の動力を受けて回転する。
【０１０２】
ピニオン２５２を挟んで対向する位置には、第１の経路３１０の第１のラック３１３と第２の経路３２０の第２のラック３２３とが配置されている。
【０１０３】
第１のラック３１３は、ピニオン２５２と噛み合うことにより、ピニオン２５２の回転力を長尺方向（左右方向）の力に変換する。変換された力は、第１の経路３１０を介して第１の可動体２１０に伝えられる。
【０１０４】
第２のラック３２３は、ピニオン２５２と噛み合うことにより、ピニオン２５２の回転力を長尺方向（左右方向）の力に変換する。変換された力は、第２の経路３２０を介して第２の可動体２２０に伝えられる。
【０１０５】
〔演出装置の動作〕
次に、演出装置２００の動作について図７〜図１８を参照して説明する。
【０１０６】
図１２は本体、前ケース及び後ケースを外して第１位置にある演出装置を前から見たときの正面図、図１７は本体、前ケース及び後ケースを外して第２位置にある演出装置を前から見たときの正面図である。
【０１０７】
（第１位置〜第２位置）
演出装置２００が第１位置にあるとき（図７及び図９〜図１３参照）、駆動部２５０によりピニオン２５２を時計回りに回転させると、第１のラック３１３が左方向に繰り込まれる。それにより、第１の経路３１０の長尺部材３１１及びスライド部材３１２が左方向に移動する。それにより、第１の可動体２１０の印加部２１１が左方向に移動する。
【０１０８】
また、ピニオン２５２を時計回りに回転させると、第２のラック３２３が右方向に繰り込まれる。それにより、第２の経路３２０のスライド部材３２２が右方向に移動する。それにより、第２の可動体２２０の印加部２２１が右方向に移動する。
【０１０９】
第１の可動体２１０の印加部２１１が左方向に移動する一方、第２の可動体２２０の印加部２２１が右方向に移動するので、第１の可動体２１０の印加部２１１及び第２の可動体２２０の印加部２２１が相互に接近する。それにより、第１の可動体２１０の他端部２１５及び第２の可動体２２０の他端部２２５が対称的に起き上がるようになる（第２姿勢）。それにより、第３の可動体２３０が上方の第２位置まで移動する。
【０１１０】
このように演出装置２００が第１位置から第２位置に移動するとき、第１の可動体２１０及び第２の可動体２２０の対称的な動作による演出を実現することが可能となる。さらに、第１の可動体２１０及び第２の可動体２２０が互いに対称的な形態に形成され、かつ、互いに対称的な姿勢で配され、駆動部２５０の動作により相互の姿勢を対称的に変更するので、二つの可動体の連繋動作による演出を実現することが可能となる。さらに、３つの可動体２１０、２２０、２３０が互いに連動するため、統一性のある演出を行うことが可能となる。
【０１１１】
（第２位置〜第１位置）
演出装置２００が第２位置にあるとき、駆動部２５０によりピニオン２５２を反時計回りに回転させると、第１のラック３１３が右方向に繰り込まれる。それにより、第１の経路３１０の長尺部材３１１及びスライド部材３１２が右方向に移動する。それにより、第１の可動体２１０の印加部２１１が右方向に移動する。
【０１１２】
また、ピニオン２５２を反時計回りに回転させると、第２のラック３２３が左方向に繰り込まれる。それにより、第２の経路３２０のスライド部材３２２が左方向に移動する。それにより、第２の可動体２２０の印加部２２１が左方向に移動する。
【０１１３】
第１の可動体２１０の印加部２１１が右方向に移動する一方、第２の可動体２２０の印加部２２１が左方向に移動するので、第１の可動体２１０の印加部２１１及び第２の可動体２２０の印加部２２１が相互に離間する。それにより、第３の可動体２３０は、第１の可動体２１０の他端部２１５及び第２の可動体２２０の他端部２２５が対称的に倒れるようになるため（第１姿勢）、下方の第１位置まで移動する。
【０１１４】
このように演出装置２００が第２位置から第１位置に移動するときも、第１位置から第２位置に移動するときと同様に、第１の可動体２１０及び第２の可動体２２０の対称的な動作による演出を実現することが可能となる。さらに、第１の可動体２１０及び第２の可動体２２０が互いに対称的な形態に形成され、かつ、互いに対称的な姿勢で配され、駆動部２５０の動作により相互の姿勢を対称的に変更するので、二つの可動体の連繋動作による演出を実現することが可能となる。さらに、二つの可動体２１０、２２０の他端部同士が連結されているため、互いに連動する二つの可動体２１０、２２０による演出が可能となる。さらに、３つの可動体２１０、２２０、２３０が互いに連動するため、統一性のある演出を行うことが可能となる。
【０１１５】
〔演出装置の組立〕
次に、演出装置２００の組立について図３〜図１１を参照して説明する。
【０１１６】
（前ケースの組み付け）
先ず、本体２６０に後から前ケース２０１を固定する。
【０１１７】
（第１の経路の組み付け）
第１の経路３１０の組み付けにおいては、第１の経路３１０のスライド部材３１２のボス部３１７をガイドリング２０８を介して前ケース２０１のガイド穴２０７に嵌め合わせるように、スライド部材３１２を前ケース２０１の所定位置に置く。それにより、スライド部材３１２の上下方向に移動が規制される。
【０１１８】
次に、第１の経路３１０の第１のラック３１３のガイド凹部３１６に前ケース２０１のガイド凸部２０９を嵌め込むとともに、第１のラック３１３の突片部３１５を前ケース２０１のフランジ状ガイド部２０６に当接又は近接するように、第１のラック３１３を前ケース２０１の所定位置に配置する。それにより、第１のラック３１３の下方向に移動が規制される。
【０１１９】
次に、長尺部材３１１により、スライド部材３１２と第１のラック３１３とを連結する。
【０１２０】
（第２経路の組み付け）
第２の経路３２０の組み付けにおいては、第２の経路３２０のボス部３２７をガイドリング２０８ａを介してガイド穴２０７ａに嵌め合わせるとともに、スライド部材３２２の突片部３２５をフランジ状ガイド部２０６に当接又は近接するように、スライド部材３２２を前ケース２０１の所定位置に配置する。それにより、スライド部材３２２の上下方向の移動が規制される。
【０１２１】
（第１の可動体の組み付け）
次に、第１の可動体２１０の印加部２１１と第１の経路３１０のスライド部材３１２とを前ケース２０１のガイド穴２０７を通して軸部材２１６により接続する。なお、ガイド穴２０７に通じるスルーホールＴＨが図６に示されているが、このスルーホールＴＨと同様な穴がスライド部材３１２にも設けられている。
【０１２２】
（第２の可動体の組み付け）
次に、第２の可動体２２０の印加部２２１と第２の経路３２０のスライド部材３２２とを前ケース２０１のガイド穴２０７ａを通して軸部材２２６により接続する。なお、ガイド穴２０７ａに通じるスルーホールＴＨが図４に示されているが、このスルーホールＴＨと同様な穴がスライド部材３２２にも設けられている。
【０１２３】
（第３の可動体の組み付け）
次に、第３の可動体２３０を介して、第１の可動体２１０の他端部２１５と第２の可動体２２０の他端部２２５とを連結する。このとき、セクタギア２１７、２２７同士を噛み合わせるようにする。  
【０１２４】
（電動モータの組み付け）
予め、後ケース２０２に電動モータＭを組み付けておく。さらに、電動モータＭに駆動ギア２５１を固定しておく。
【０１２５】
（ピニオンの組み付け）
ピニオン２５２の組み付けにおいては、前ケース２０１の軸受け部２０９ａに回転軸２５４を嵌め込んで、さらに、その回転軸２５４にピニオン２５２を嵌め込む。このとき、ピニオン２５２を、第１の経路３１０の第１のラック３１３と噛み合わせるとともに、第２の経路３２０のスライド部材３２２の第２のラック３２３と噛み合わせる。
【０１２６】
（後ケースの組み付け）
後ケース２０２の組み付けにおいては、後ケース２０２を前ケース２０１と組み合わせる。このとき、後ケース２０２に予め組み付けておいた電動モータＭの駆動ギア２５１を中継ギア２５３と噛み合わせるようにする。
【０１２７】
後ケース２０２を前ケース２０１と組み合わせることで、後ケース２０２の凸状ガイド部２０４が第１の経路３１０のスライド部材３１２の凸状部３１４に対し後から当接する。また、前ケース２０１の凸状ガイド部２０３がスライド部材３１２の凸状部３１４に対し前から当接する。それにより、スライド部材３１２の前後方向に移動が規制される。
【０１２８】
さらに、後ケース２０２を前ケース２０１と組み合わせることで、後ケース２０２の凸状ガイド部２０４が第１の経路３１０の第１のラック３１３の凸状部３１８に対し後から当接する。また、前ケース２０１の凸状ガイド部２０３が第１のラック３１３の凸状部３１８に対し前から当接する。それにより、第１のラック３１３の前後方向に移動が規制される。
【０１２９】
さらに、後ケース２０２を前ケース２０１と組み合わせることで、後ケース２０２の凸状ガイド部２０４が第２の経路３２０のスライド部材３２２の凸状部３２４に対し後から当接する。また、前ケース２０１の凸状ガイド部２０３がスライド部材３２２の凸状部３２４に対し前から当接する。それにより、スライド部材３２２の前後方向に移動が規制される。
【０１３０】
以上により、前ケース２０１の各所定位置にスライド部材３１２、３２２、及び第１のラック３１３を置き、後ケース２０２を前ケース２０１と組み合わせることで、第１の経路３１０、第２の経路３２０及び駆動部２５０を簡単に組み付けることが可能となり、組み付け性が向上し、組立コストを低減することが可能となる。また、前ケース２０１と後ケース２０２との間の空間内に、第１の経路３１０、第２の経路３２０及び駆動部２５０を収容したことにより、演出装置２００を薄型でコンパクトにすることが可能となる。
【０１３１】
本実施形態では、盤面の真ん中に置かれないモータＭ１つでどのようにして左右対称のものを可動させるのかという状況下で工夫されたものである。この状況は次の理由により生じる。すなわち、パチンコ機は一般的に始動口が盤面の真ん中よりやや下方に位置していて、上始動口と電チューと呼ばれる下始動口とで構成されていて、また、その下方には大入賞口が設けられている。故に盤面の真ん中下方は、各入賞口に入賞した遊技球を排出するための経路を確保する必要があるため、真ん中付近にモータＭを置くことができない。そうするとモータＭは端に追いやられることとなる。そのような状況下でも、モータＭ１つで左右対称の可動体を可動させることが可能となる。
【０１３２】
［変形例］
前記実施形態では、第２の経路３２０は第１の経路３１０に対して短く、第１の経路３１０の長尺部材３１１に相当する部材を用いずに構成した。さらに、第２の経路３２０は、スライド部材３２２に第２のラック３２３を設けることにより、第１の経路３１０のスライド部材３１２及び第１のラック３１３に相当する各部材を一体的に構成した。
【０１３３】
前記実施形態では、始動口が盤面の真ん中よりやや下方（中央下部）に位置している一般的なパチンコ機に演出装置２００を適用したもので、端に追いやられたモータＭと第１の可動体２１０との間の距離が長いとき、両者を接続する第１の経路３１０も長くした。一方で、モータＭと第２の可動体２２０との間の距離が短いとき、両者を接続する第２の経路３２０も短くした。このように、始動口など盤面に設けられる他の部品の配置に応じてモータＭを設ける位置が変更されるとき、モータＭの位置に応じて第１の経路３１０及び第２の経路３２０のそれぞれの長さを調整可能に構成すればよい。
【０１３４】
このように構成したので、始動口が盤面の中央下部でなく端に位置している例外的なパチンコ機に演出装置２００を適用したとき、空きとなった中央下部の位置にモータＭを設けると、モータＭと第１の可動体２１０との間の距離と、モータＭと第２の可動体２２０との間の距離とがほぼ同じ長さとなるため、第１の経路３１０及び第２の経路３２０はほぼ同じ長さとなる。
【０１３５】
第２の経路３２０が第１の経路３１０と同様に長い場合、第１の経路３１０と同様に、第１の経路３１０の長尺部材３１１に相当する部材を用いるとともに、スライド部材３２２と、第２のラック３２３とを別々に構成する必要がある。
【０１３６】
次に、第２の経路３２０が第１の経路３１０と同様に長い場合の演出装置２００の変形例について図１９を参照して説明する。図１９は、第２位置に移動した演出装置２００を概念的に示す図である。
【０１３７】
図１９に示すように、第１の経路３１０は、長尺状に形成され、その一端部に駆動部２５０による動力を受けて長尺方向に進退する長尺部材３１１、及び長尺部材３１１の他端部３１１ｂ及び印加部２１１に接続され、長尺部材３１１とともに進退することで印加部２１１に動力を伝えるスライド部材３１２を有する。
【０１３８】
同様に、第２の経路３２０は、長尺状に形成され、その一端部に駆動部２５０による動力を受けて長尺方向に進退する長尺部材３２１、及び長尺部材３２１の他端部３２１ｂ及び印加部２２１に接続され、長尺部材３２１とともに進退することで印加部２２１に動力を伝えるスライド部材３２２を有する。
【０１３９】
変形例では、駆動部２５０は、動力により回転するピニオン２５２を有し、長尺部材３１１、３２１は、ピニオン２５２と噛み合うことにより、ピニオン２５２の回転力を長尺方向に沿う直線方向の力に変換するラック３１３、３２３を有する。
【０１４０】
駆動部２５０から第２の可動体２２０の印加部２２１までの経路が、駆動部２５０から第１の可動体２１０の印加部２１１が同じように長いときであっても、長尺部材３２１またはスライド部材３２２を印加部２１１の方に延ばすことにより、さらに、ラック３２３をピニオン２５２と噛み合わせることにより、駆動部２５０の動力を印加部２２１に伝えることが可能となる。それにより、駆動部２５０を別々に設ける必要がなく、製造コスト及び組立コストを低減することができ、さらに、駆動部２５０を設置するための設置スペースを別々に設けずに済み、演出装置２００をコンパクトにすることが可能となる。
【０１４１】
同じように長い経路の第１の経路３１０及び第２の経路３２０において、長尺部材３１１、３２１にラック３１３、３２３をそれぞれ設け、各ラック３１３、３２３をピニオン２５２に噛み合わせたので、ピニオン２５２を回転させることにより、第１の経路３１０の長尺部材３１１及び第２の経路３２０の長尺部材３２１を長尺方向に沿って移動させることが可能となる。それにより、駆動部２５０の動力を第１の経路３１０のラック３１３、長尺部材３１１、及びスライド部材３１２、並びに第２の経路３２０のラック３２３、長尺部材３２１、及びスライド部材３２２を介して第１可動体２１０の印加部２１１及び第２可動体２２０の印加部２２１にそれぞれ伝えることが可能となる。
【０１４２】
なお、前記実施形態では、遊技盤７０と裏ユニットとの間のスペースに演出装置２００を設け、この演出装置２００による演出の一例として、下部の隙間を第１位置として、第３の可動体２３０を第１位置と第２位置（センター役物１００の開口の中央部）との間を上下方向に往復移動させるものを示したが、これに限らない。センター役物１００の開口の周縁部の各位置に演出装置２００を設けてもよい。たとえば、センター役物１００の開口の側縁部の位置に演出装置２００を設け、開口の側縁部の位置を第１位置として、第３の可動体２３０を第１位置と第２位置との間を左右方向に往復移動させてもよい。このとき、第１の可動体２１０と第２の可動体２２０は、上下対称的な形態を有し、かつ、上下対称的な姿勢で配されており、駆動部２５０の印加により相互の姿勢を上下対称的に変更する。
【０１４３】
また、実施形態において、第１の可動体２１０の他端部２１５と第２の可動体２２０の他端部２２５とを第３の可動体２３０を介して間接的に接続したが、他端部２１５、２２５同士を直接的に接続してもよい。
【０１４４】
さらに、実施形態では、第１の経路３１０及び第２の経路３２０の二つの経路が互いに重複した経路を有しないものを示したが、これに限らず、二つの経路が互いに重複した経路を有してもよい。例えば、一方の経路において、長尺部材の始端が駆動部２５０に接続され、長尺部材の終端に一方の経路のスライド部材が接続される。他方の経路において、長尺部材の始端と終端との間の中間部に他方の経路のスライド部材が接続される。それにより、長尺部材の始端から中間部の経路が互いに重複した経路となる。この例では、一つの長尺部材が、第１の経路及び第２の経路の構成部品となる。
【０１４５】
さらに、実施形態においては、第１の経路３１０の一例では、長尺部材３１１、スライド部材３１２、及び第１のラック３１３によりを構成したが、これに限らず、駆動部２５０により軸回りに回転するギアードケーブルと、その正回転及び逆回転によりギアードケーブルの軸方向に沿って往復移動するスライド部材とにより経路を構成してもよい。
【符号の説明】
【０１４６】
１  遊技機
１００  センター役物
２００  演出装置
２１０  第１の可動体
２１１  印加部
２１５  他端部
２２０  第２の可動体
２２１  印加部
２２５  他端部
２３０  第３の可動体
２５０  駆動部
２５２  ピニオン
３１０  第１の経路
３１１  長尺部材
３１１ａ  一端部
３１１ｂ  他端部
３１２  第１のスライド部材
３１３  第１のラック
３２０  第２の経路
３２１  長尺部材
３２２  第２のスライド部材
３２３  第２のラック
【図１】
0005611899.tif 000002
【図２】
0005611899.tif 000003
【図３】
0005611899.tif 000004
【図４】
0005611899.tif 000005
【図５】
0005611899.tif 000006
【図６】
0005611899.tif 000007
【図７】
0005611899.tif 000008
【図８】
0005611899.tif 000009
【図９】
0005611899.tif 000010
【図１０】
0005611899.tif 000011
【図１１】
0005611899.tif 000012
【図１２】
0005611899.tif 000013
【図１３】
0005611899.tif 000014
【図１４】
0005611899.tif 000015
【図１５】
0005611899.tif 000016
【図１６】
0005611899.tif 000017
【図１７】
0005611899.tif 000018
【図１８】
0005611899.tif 000019
【図１９】
0005611899.tif 000020